Podtech/llm-jp-corpus-v4-ja_patent huggingface dataset:
(57)【要約】【課題】ベルト装着時、ベルトの先端が身体から外側に向かって飛び出している状態となるのを防ぐ。【解決手段】ベルト装着時、予めベルト本体に取り付けておいた器具にベルトの先端を差し込み、身体に密着・保持させることで、ベルトの先端が身体の外側に飛び出さないようにする。【選択図】図１
0003129057.tif 000002
【実用新案登録請求の範囲】
【請求項１】
ベルトの先端が邪魔にならないよう身体に密着・保持するための、ベルト幅と同程度の幅で、ベルトの先端を完全に覆うことができるだけの長さがあり、身体側面に合せて湾曲させてある板状の部分と、これをベルトに取り付けるフック状の部分で構成される器具。
【考案の詳細な説明】
【技術分野】
【０００１】
本考案は、ベルトの先端を身体に密着した状態で保持することにより、作業の安全性と効率の向上を図ることができ、その形状デザインあるいは装飾を施すことによって、高いファッション性を併せ持つアクセサリーに関するものである。
【背景技術】
【０００２】
ベルトの装着に際しては、基本的にベルトのバックル部分と衣服のベルト通ししか、ベルトを保持するものが無かった。そのため、装着時のベルトの先端は身体から外側に向かって飛び出している状態となるため、先端そのものが邪魔になったり、先端部分と身体の間にケーブル等が挟まったりと、外見もよくなく、作業の安全性や効率の低下をも招きかねなかった。そこで従来、これを防ぐための止め具が考案されてきている。
【考案の開示】
【考案が解決しようとする課題】
【０００３】
解決しようとする問題点は、装着時にベルトの先端が身体の外側に向かって飛び出している状態となる点である。
【課題を解決するための手段】
【０００４】
本考案は、板状の部品を主とする器具を予めベルト本体に取り付けておき、装着時、ベルトの先端をその器具とベルト本体との間に差し込み、身体に密着した状態で保持することを特徴とする。
【考案の効果】
【０００５】
本考案の器具を用いることにより、装着時にベルトの先端が身体の外側に向かって飛び出している状態とならないので、見栄えも良くなり、作業の安全性や効率の向上をも図れる。
さらに本考案では、ベルトと器具との間に空間をつくり、そこにベルトの先端を完全に収納する方法をとるため、止め具で止めた部分のさらに先端が不具合を起こす、ということが無い。
また、本考案では、器具の硬い部分で局部的な強い圧力をベルトに加えることが無く、ベルト自体に与える損傷を軽減できる。
【考案を実施するための最良の形態】
【０００６】
板状の部分と、ベルトに取り付ける機能を持つ部分から構成される。
板状の部分は、ベルトの先端を覆うためのものである。
ベルト取り付け部はリング状あるいはフック状で、ベルト本体に取り付ける為ベルトを通す部分である。
装着時、ベルトの先端を差し込む側とその反対側に各々１箇所ずつ以上設定する。
装着時、ベルトの先端を差し込む側は、ベルト２枚分の空間が必要である。
その反対側は、スペーサー（ａ）を取り付け、空間がベルト１枚分となるように設定することにより、強制的にベルトの先端を出さないようにでき、装着時以外でも器具のずれを防ぐことができる。
【実施例】
【０００７】
本考案の実施例では、本体に金属板を使用し、スペーサー（ａ）にはスポンジラバーを使用した。
図１は、本考案の実施例を装着した状態を表したものである。
装着状態を正面から見た図と、上から見た図であり、図中の斜線部分が本考案の実施例である。
図２は、本考案の実施例の四面図であり、図３は、本考案の実施例の展開図である。
【産業上の利用可能性】
【０００８】
本考案は、ベルトの先端を身体に密着・保持させることにより、見映えおよび作業の安全性と効率の向上を図ることができるものである。さらに、その板状部分のデザインや材質、表面への装飾によって、より高いファッション性を併せ持たせることが可能となる。また、装飾の内容にロゴマーク等を採用することにより、宣伝効果を期待することもできる。
【図面の簡単な説明】
【０００９】
【図１】本考案の実施例の装着状態を、正面と上から見た図である。
【図２】本考案の実施例の四面図である。
【図３】本考案の実施例の展開図である。
【図１】
0003129057.tif 000003
【図２】
0003129057.tif 000004
【図３】
0003129057.tif 000005
(57)【要約】      （修正有）【課題】ドアハンドルの先端が進行方向と逆向きになっている状況で開き戸を通過する際に、衣服や荷物等がドアハンドルに引っかかりにくくするドアハンドルガードを提供する。【解決手段】衣服や荷物等がドアハンドルの先端を回避するように、ドア面に対してドアハンドルの先端部分と同程度の突起を形成する器具を、ドアハンドルの先端部分に隣接して設置する。【選択図】図１
0003129058.tif 000002
【実用新案登録請求の範囲】
【請求項１】
ドアハンドルの先端部分に隣接して設置する、ドア面に対してドアハンドルの先端部分と同程度の突起を形成する器具。
【考案の詳細な説明】
【技術分野】
【０００１】
本考案は、開き戸のドアハンドルに衣服や荷物等が引っかかることに起因して、衣服、荷物、ドアハンドル等を損傷したり、さらには、負傷してしまうといった事故を未然に防ぐ、安全に関するものである。
【０００２】
通常、開き戸のドアハンドルはその形状から、通過する際に、衣服の袖口や荷物のベルト等が、ドアハンドルの握る部分とドア面との間に入り込みやすい。この状況は特に、ドアハンドルの先端が進行方向と逆向きになる「押す」側に多くみられる。
【考案の開示】
【考案が解決しようとする課題】
【０００３】
解決しようとする問題点は、ドアハンドルの先端が進行方向と逆向きになる、という点である。
【課題を解決するための手段】
【０００４】
本考案は、ドアハンドルに隣接して、ドア面に対してドアハンドルの先端部分と同程度の突起を設けることを特徴とする。
【考案の効果】
【０００５】
本考案の器具を取り付けることにより、ドア面とドアハンドルの先端部分との隙間を塞ぐため、衣服や荷物等は逆向きとなっているドアハンドルの先端を回避し、ドアハンドルに引っかかる、という現象が起きにくくなる。
【考案を実施するための最良の形態】
【０００６】
本考案の器具は、ドアハンドルの先端と同程度ドア面より張り出し、本器具とドアハンドルの間に衣服や荷物等が入り込めない程度の距離をもって設置した状態で、ドアハンドルの操作にも支障が無い、という必須条件を満たしていれば、その形状に制限はない。
【実施例】
【０００７】
図１は本考案の実施例１を表すもので、シンプルなデザインのドアハンドルに形状を合せた実施例である。
図２は、本考案の実施例１の設置状態を上から見た図であり、図中の灰色部分が本考案の実施例１である。
図３は本考案の実施例２を表すもので、実施例１の円柱部分のみとし、先端を半球状としたものである。
図４は、本考案の実施例２の設置状態を上から見た図であり、図中の灰色部分が本考案の実施例２である。
図５は、図１にある本考案の実施例１の１ａ−１ｂ線における断面図で、上の図が分解状態、下の図が設置状態である。
実施例１および実施例２の場合はドアとの接触面が狭い為、ステーおよびビスによる設置方法を採っている。予めステーをドアにビス止めし、実施例１あるいは実施例２をそのステーにビス止めする。
実施例２は設置方法が実施例１と同一のため、実施例２の断面図は省略した。
図６は本考案の実施例３を表すもので、円錐形を変形させたデザインの実施例である。
図７は、本考案の実施例３の設置状態を上から見た図であり、図中の灰色部分が本考案の実施例３である。
図８は本考案の実施例４を表すもので、ドアハンドルの稼動方向に長いデザインとした実施例である。
図９は、本考案の実施例４の設置状態を、上から見た図であり、図中の灰色部分が本考案の実施例４である。
実施例３および実施例４の場合は、ドアとの接地面が広い為、接着剤による設置方法を採っている。
【産業上の利用可能性】
【０００８】
既設のドアハンドルを撤去交換する必要が無く、簡単に追加するだけで効果を発揮できるため、設置は新築・増改築に限らず、効率面でも経済面でも優れている。また、衣服や荷物等が本考案の器具にも引っかかることの無い範囲で、ドアハンドル、ドア、壁面等、周囲のデザインに合わせる、逆にその他の特殊な形状にする、あるいは表面に装飾を施す、といった発展も期待できる。
【図面の簡単な説明】
【０００９】
【図１】本考案の実施例１の四面図である。
【図２】本考案の実施例１の設置状態を示す図である。
【図３】本考案の実施例２の四面図である。
【図４】本考案の実施例２の設置状態を示す図である。
【図５】図１の１ａ−１ｂ線における本考案の実施例１の断面図および、設置用部品である。
【図６】本考案の実施例３の三面図である。
【図７】本考案の実施例３の設置状態を示す図である。
【図８】本考案の実施例４の四面図である。
【図９】本考案の実施例４の設置状態を示す図である。
【図１】
0003129058.tif 000003
【図２】
0003129058.tif 000004
【図３】
0003129058.tif 000005
【図４】
0003129058.tif 000006
【図５】
0003129058.tif 000007
【図６】
0003129058.tif 000008
【図７】
0003129058.tif 000009
【図８】
0003129058.tif 000010
【図９】
0003129058.tif 000011
(57)【要約】      （修正有）【課題】答案用紙上の答案欄の位置は答案孔により塗りつぶされ、欄外にはみ出す心配がなく、使用も更に便利な試験用定規を提供する。【解決手段】解答用紙の解答欄と共に使用され、定規１０は透明の長い板状で直線辺上に目盛り１１を有し、平面上の所定位置に答案孔１２を有し、答案孔の形状と解答用紙の解答欄の形状が相同である。【選択図】図１
0003129082.tif 000002
【実用新案登録請求の範囲】
【請求項１】
試験用定規であって、解答用紙の解答欄と共に使用され、その特徴は、前記定規は透明の長い板状で、直線辺上に目盛りを有し、平面上の所定位置に答案孔を有し、前記答案孔の形状と解答用紙の解答欄の形状が相同であることを特徴とする試験用定規。
【請求項２】
前記答案孔は一つか、或いは、前記解答用紙の解答欄の数量と位置に合わせて複数を連続設置できることを特徴とする請求項１に記載の試験用定規。
【請求項３】
前記定規の平面位置は角度目盛りを有し、必要な角度を書いたり、測量したりすることができることを特徴とする請求項１に記載の試験用定規。
【考案の詳細な説明】
【技術分野】
【０００１】
本考案は、試験用で、鉛筆により答案用紙の答案欄を塗りつぶす試験専用定規に関し、特に、定規は答案用紙の答案欄に適合し、鉛筆で完全に黒く塗りつぶすことができる試験用定規に関するものである。
【背景技術】
【０００２】
現在、大型試験では受験者が多いので、快速に採点し、採点ミスを減少させるため、多くがマークシート方式を採用し、読み取り機により解答を識別させる。よって、２Bの鉛筆を使用して解答欄を黒く塗りつぶすが、このような方式は解答欄の塗布面積が不足であるか、塗布面積が過大で、解答欄を超過し、読み取り機が読み取れなかったり、判読ミスが生じる。また、ある受験者は解答欄をごく薄く塗りつぶすので、読み取り機が判読できないこともある。
【考案の開示】
【考案が解決しようとする課題】
【０００３】
本考案は、定規の答案孔が解答用紙の解答欄の方式に符合し、答案用紙上の答案欄の位置は答案孔により塗りつぶされ、欄外にはみ出す心配がなく、使用も更に便利である試験用定規を提供することを目的とする。
【課題を解決するための手段】
【０００４】
本考案の試験用定規は、解答用紙の解答欄と共に使用され、その特徴は、前記定規は透明の長い板状で、直線辺上に目盛りを有し、平面上の所定位置に答案孔を有し、前記答案孔の形状と解答用紙の解答欄の形状が相同である。
【考案の効果】
【０００５】
本考案により、マークシート方式の試験で、答案用紙上の答案欄の位置は答案孔により塗りつぶされ、欄外にはみ出す心配がなく、使用も更に便利になる。
【考案を実施するための最良の形態】
【０００６】
図１、図２で示されるように、本考案の試験用定規１０は透明の長い板状で、定規１０の最短直線辺上に目盛り１１を有し、目盛り１１により直線を引き、長さを測量することができる。また、定規１０の平面上の所定位置に、答案孔１２を有し、この答案孔１２は一つ、或いは、解答用紙２０の解答欄２１の数量と位置に合わせて、複数を連続設置できる。解答孔１２の形状と解答用紙２０の解答欄２１の形状は符合する。定規１０平面のその他の位置に角度目盛り１３を設け、角度目盛り１３により角度を測量する。
【０００７】
図３、図４で示されるように、定規１０上の答案孔１２が一つであるとき、直接、定規１０上の答案孔１２を選定する解答欄２１に照準させ、更に、鉛筆３０により直接、答案孔１２上で回転させて塗りつぶし、鉛筆３０は答案孔１２の形状に合わせて塗りつぶすだけでよく、解答欄２１外にはみ出ることがない。定規１０上の答案孔１２が複数である時、定規１０上に配列された答案孔１２を解答欄２１に照準し、鉛筆３０で答案孔１２の形状に合わせて塗りつぶす。
【０００８】
上述のような構造により、試験用定規１０上の答案孔１２が解答用紙２０の解答欄２１に照準するので、解答用紙２０上の解答欄２１の位置は答案孔１２により塗りつぶされ、正確で快速に解答欄２１を塗りつぶすことができ、解答欄２１からはみ出す心配もなく、使用は更に便利である。
【０００９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１０】
【図１】本考案の構造の立体図である。
【図２】本考案の構造の平面図である。
【図３】本考案の答案孔が解答欄に照準する状態を示す図である。
【図４】鉛筆により答案孔で解答欄を塗りつぶす状態を示す図である。
【符号の説明】
【００１１】
１０  試験用定規
１１  目盛り
１２  答案孔
１３  角度目盛り
２０  解答用紙
２１  解答欄
３０  鉛筆
【図１】
0003129082.tif 000003
【図２】
0003129082.tif 000004
【図３】
0003129082.tif 000005
【図４】
0003129082.tif 000006
(57)【要約】【課題】 植物のベチバーの根をできる限り原形のまま利用し、防虫性の効能の持続性、及び織布のデザイン性を保持しながら、カーペット、じゅうたんなど加工した敷物の下に利用する製品として防虫手段を得る。【解決手段】防虫性の作用を持つベチバー植物の根茎部を乾燥させ、織布の中にほぼ原形のまま織り込むことにより、その防虫並びに風合いを効果的に利用できるベチバーの根を織り込んだ織布材であって、ベチバー植物の根茎部は、根茎の長さを５００ｍｍ〜１０００ｍｍに揃えて、縦糸によって織られた織布であるベチバーの根を織り込んだ防虫性織布材である。【選択図】  図１
0003129090.tif 000002
【実用新案登録請求の範囲】
【請求項１】
防虫性の作用を持つベチバー植物の根茎部を乾燥させ、織布の中にほぼ原形のまま織り込むことにより、その防虫並びに風合いを効果的に利用できることを特徴とするベチバーの根を織り込んだ防虫性織布材。
【請求項２】
請求項１において、ベチバー植物の根茎部は、根茎の長さを５００ｍｍ〜１０００ｍｍに揃えて、縦糸によって織られた織布であることを特徴とするベチバーの根を織り込んだ防虫性織布材。
【請求項３】
請求項１において、ベチバー植物の根茎部からの織布は、部屋内の敷物の下、あるいは内部に設置して、あるいは部屋内部に掛けて使用することを特徴とするベチバーの根を織り込んだ防虫性織布材。
【考案の詳細な説明】
【技術分野】
【０００１】
本考案は防虫性の高い効果をもつベチバーの根を使用した織り込んだ防虫性織布材の利用に関する。
【背景技術】
【０００２】
芳香性の植物の材料を利用して織布材を使用したものは提案されている（特許文献1参照）。
原形のまま利用することが多いが、単なる芳香料に過ぎず加工原料としてのままにとどまり、芳香性の持続性にも劣っていた。デザイン性を含めたものは少ない。また防虫性をもつ茎、根は存在していない。
【特許文献１】実登３０７９９７６号
【考案の開示】
【考案が解決しようとする課題】
【０００３】
本考案は、ベチバー植物の根の防虫性を持つ機能と芳香性機能に、外見上の自然な風合いを活かしつつ室内の敷物の防虫効果と装飾品とのデザイン性にマッチするように利用できる製品加工用素材としてベチバーの根を織り込んだ防虫性織布材を提供することを目的とする。
【課題を解決するための手段】
【０００４】
本考案は、ベチバーの植物の根茎部を乾燥させ、織布の中にほぼ原形のまま織り込んで素材生地として利用できるよう手段を講じたものであり、防虫性の作用を持つベチバー植物の根茎部を乾燥させ、織布の中にほぼ原形のまま織り込むことにより、その防虫並びに風合いを効果的に利用できる。当該ベチバーの根を織り込んだ防虫性の作用を持つベチバー植物の根茎部を乾燥させ、織布の中にほぼ原形のまま織り込むことにより、その防虫並びに風合いを効果的に利用できるベチバーの根を織り込んだ防虫性織布材である。
ベチバー植物の根茎部は、根茎の長さを５００ｍｍ〜１０００ｍｍに揃えて、縦糸によって織られた織布である。
【０００５】
ベチバー植物の根茎部からの織布は、部屋内の敷物の下、あるいは内部に設置して、あるいは部屋内部に掛けて使用するベチバーの根を織り込んだ防虫性織布材である。
ベチバーの根を織り込んだ防虫性織布材は室内に使用している敷物、絨毯、カーペットなどに付着するダニ、のみ、ゴキブリ、またはシロアリなどの家庭内の害虫を防除することができるものである。シロアリの場合には床下の柱などの固定しておくと効果的である。
【考案の効果】
【０００６】
この考案は前記のように構成されており、以下に記載のような効果を有する。
基本的に素材として製品加工用に原材料提供されるので、これを利用した様々な応用製品が考えられるが、ベチバー植物を乾燥させた根茎部を切断押圧等の加減調製することで、ベチバー植物の防虫性能維持が図れ、自然な風合いも外見的に楽しむことができる利点がある。
【０００７】
またその他の利用方法として、例えば紙繊維中に漉き込んでランプシェードとして利用したり、繊維と混ぜ込んで壁材に利用したりもできる。
さらに植物利用の天然素材ゆえに、化学物質に敏感な体質の人であっても比較的安心して利用できるものであり、自然な風合いが相まって、視覚よりリラクゼーション効果をもたらすものである。
【考案を実施するための最良の形態】
【０００８】
考案の実施の形態を実施例に基づき説明する。
図１、図２に一例を示すとおり、本考案にかかる素材は縦糸１に通常の繊維を用いて、横方向に等間隔に並べた乾燥ベチバー植物根茎部を編み込んで素材生地を構成している。
【実施例】
【０００９】
ベチバー植物の根茎部を自然乾燥させた上で原材料として用いる。ベチバー植物は、東南アジアの高山地区に自生するイネ科の植物で、類似した香りを放つ植物の根茎部を主として利用する。
このベチバー植物の乾燥させた根茎部は、防虫能力が高く、加えてそのもの自体がた香りを放つ特性を有しているので、旧来より現地においてはそのままの状態で物置場やタンス等の中に入れて日常利用されてきたものである。
ダニ、ゴキブリの駆除効果を大和化学工業株式会社に依頼して行った。ダニの忌避試験はベチバーの根を織り込んだ防虫性織布材（幅５０ｍｍ、長さ１００ｍｍ）を使用した場合、ダニ数２４２２に対して３１４に減少した。忌避率８７％であった。またゴキブリ忌避試験は、ベチバーの根の織り込んだ防虫性織布材を使用すると、ゴキブリ１６匹から4匹に減少して、忌避率５９％であった。
【００１０】
本考案における製品の基本的な構成は、図１、図２に示すように織布材として編み込むことによるが、乾燥根茎部２の編み込む間隔すなわち量を調整することによって、外見上のデザインを変化させたり、防虫量の加減をおこなうことができる。
【図面の簡単な説明】
【００１１】
【図１】ベチバー根を織った防虫敷物Ａ
【図２】ベチバー根を二重織りした防虫敷物Ｂ
【符号の説明】
【００１２】
１  ベチバー根の織物
２  ベチバー根
３  縦糸
【図１】
0003129090.tif 000003
【図２】
0003129090.tif 000004
(57)【要約】   【課題】歯間ブラシは小さい為収納場所に問題があった。歯間ブラシを容易に着脱し衛生的に収納できる歯間ブラシ収納ホルダー付きフックを提供する。  【解決手段】弾性材などによる棒帯を逆Ｕ字状に湾曲させ一対の上下挟圧体を形成し、上挟圧体の湾曲した部分を円弧状に丸味を付け、上挟圧体の一部を下挟圧体に接触させ上挟圧体の先端部を反らせる。次に下挟圧体の外側の面にホルダーを設けてさらにその面の上部両縁に一対の把持部を設けて一体化させたものである。  【選択図】  図１
0003129089.tif 000002
【実用新案登録請求の範囲】
【請求項１】
弾性材による棒帯を逆Ｕ字状に湾曲させ、上挟圧体と下挟圧体からなる一対の挟圧体を形成し、前記上挟圧体は湾曲した部分を円弧状に丸味を付けた形状を有し、前記下挟圧体はその外側の面にホルダーを設けたことを特徴とする歯間ブラシ収納ホルダー付きフック。
【請求項２】
前記上挟圧体の一部を前記下挟圧体に接触させ上挟圧体の先端部を反らせたことを特徴とする請求項１記載の歯間ブラシ収納ホルダー付きフック。
【請求項３】
前記下挟圧体の外側の両縁に一対の把持部を設けて、その把持部が外側に湾曲していることを特徴とする請求項１又は請求項２記載の歯間ブラシ収納ホルダー付きフック。
【考案の詳細な説明】
【技術分野】
【０００１】
本考案は歯間ブラシを容易に着脱、収納する為の歯間ブラシ収納ホルダー付きフックに関するものである。
【背景技術】
【０００２】
従来、歯間ブラシは小さい為歯ブラシのように所定の置き場所がなく、洗面台に置くか、コップのなかに入れておくなど不衛生であった。又他者の歯間ブラシとの区別がつけにくかった。公報に開示されているものには小物収納具（特許文献１）や歯間ブラシホルダー（特許文献２）などが公知であるが、それらは鏡面や壁面など定められた場所を必要とするものであった。
【特許文献１】特開２００２−２７２５９１号公報
【特許文献２】特開２００２−１６５８１３号公報
【考案の開示】
【考案が解決しようとする課題】
【０００３】
前述の（特許文献１）及び（特許文献２）は、いずれも既設の鏡面や壁面などに取り付けるものであって、移動体に取り付けることは不可能であった。従って、各自のコップなどに取り付けることのできる歯間ブラシ収納ホルダーを課題とした。
【０００４】
と同時に、コップや他の部材に取り付ける時に着脱が容易に、しかも外れにくくすることを課題にした。
【０００５】
さらに、歯間ブラシを本考案の歯間ブラシ収納ホルダー付きフックに収納した時に、衛生的に保つことを課題とした。また、前述したように、本考案の歯間ブラシ収納ホルダーの着脱を容易にすることにより、歯間ブラシ収納ホルダー自体も清潔を保つためにいつでも洗浄が可能になり、衛生的に保てることを課題とする。
【課題を解決するための手段】
【０００６】
すなわち、本考案は弾性材による棒帯を逆Ｕ字状に湾曲させ、上挟圧体と下挟圧体からなる一対の挟圧体を形成し、前記上挟圧体は湾曲した部分を円弧状に丸味を付けた形状を有し、前記下挟圧体はその外側にホルダーを設けたことを特徴とする歯間ブラシ収納ホルダー付きフック。
【０００７】
前記上挟圧体の下方部分の一部を前記下挟圧体に接触させ、上挟圧体の先端部を反らせたことを特徴とする請求項１記載の歯間ブラシ収納ホルダー付きフック。
【０００８】
前記下挟圧体の外側の両縁に一対の把持部を設けて、その把持部を外側に湾曲させたことを特徴とする歯間ブラシ収納ホルダー付きフック。
【考案の効果】
【０００９】
この考案により鏡面や壁面などの固定された場所を必要とせず、コップなどの移動体や他の部材に装着することが出来る。
【００１０】
歯間ブラシを使用後直ちに収納することができ、清潔に保持出来るようになった。
【００１１】
本考案の歯間ブラシ収納ホルダー付きフックはコップや他の部材から容易に取り外して洗浄し、装着することが出来る。
【００１２】
又、個々のコップに取り付ける為に他者の歯間ブラシとの区別がつき易い。
【００１３】
本考案を、コップに複数取り付けることにより、サイズの違った歯間ブラシを使用することが出来る。
【考案を実施するための最良の形態】
【００１４】
以下、本考案を図に従い詳細に説明する。図１は本考案の斜視図、図２は本考案の側面図、図３は本考案の他の実施形態の側面図、図４は変形型ホルダーの平面図、図５は本考案をコップに装着した時の使用図。
【００１５】
図１は棒帯を逆Ｕ字状に湾曲させ、上挟圧体３と下挟圧体４からなる一対の挟圧体を形成し、上挟圧体の湾曲した部分を円弧状に丸味２を付けて、下挟圧体４の外側の面にホルダー５を設けて形成されたものであり、弾性樹脂材、例えばポリプロピレンなどによるものである。ホルダー５の考えは消火器のノズル受けなどで利用されている。図２は図１に一対の把持部６を増設して一体化させたものであり、又その一対の把持部６は外側にやや湾曲しているものとする。図３は図２における上挟圧体３の一部を下挟圧体４に接触させて上挟圧体３の先端部７を反らせる。これはヘアーピンなどで利用されている。図４は、歯間ブラシは他種類ありそれらに対応する為にホルダー部９を変形させて形成されてもよい。図１、図２、図３、図４はいずれも射出成型により形成されてもよい。図５は歯間ブラシ収納ホルダー付きフックをコップに装着したものである。
【図面の簡単な説明】
【００１６】
【図１】本考案の斜視図
【図２】本考案の側面図
【図３】本考案の他の実施形態の側面図
【図４】変形型ホルダーの平面図
【図５】本考案をコップに装着した時の使用図
【符号の説明】
【００１７】
１棒帯全体
２棒帯を湾曲させて丸味を付けた部分
３上挟圧体
４下挟圧体
５ホルダー
６把持部
７棒帯の先端部を外側に反らせた部分
８変形型ホルダー
９コップ
【図１】
0003129089.tif 000003
【図２】
0003129089.tif 000004
【図３】
0003129089.tif 000005
【図４】
0003129089.tif 000006
【図５】
0003129089.tif 000007
(57)【要約】【課題】  この考案は、身体の肩凝りが生ずる首部・肩部・背中部に存在する「つぼ」の部分（即ち、患部）を一体にカバーできるシートを設け、このシートに、これらの「つぼ」に磁石粒やゲルマニウム粒を装着できる肩凝り治療器を開発・提供することにある。【解決手段】  身体（Ｘ）の首部、両肩部、そして背中にかけて装着する一枚のシート本体（１）を設け、該本体（１）は、シリコンシート（１ａ）、ウレタンシート（１ｂ）そして、外面に繊維シート（１ｃ）の積層体からなり、該本体（１）には、磁気粒（２）ゲルマニウム粒（３）、または、磁気粒（２）とゲルマニウム粒（３）とを多数個設け、シリコンシート（１ａ）の粘着力により身体に貼って使用することを特徴とする肩凝り治療器から構成されるものである。【選択図】  図２
0003129003.tif 000002
【実用新案登録請求の範囲】
【請求項１】
身体（Ｘ）の首部、両肩部、そして背中にかけて装着する一枚のシート本体（１）を設け、該本体（１）は、シリコンシート（１ａ）、ウレタンシート（１ｂ）そして、外面に繊維シート（１ｃ）の積層体からなり、該本体（１）には、磁気粒（２）ゲルマニウム粒（３）、または、磁気粒（２）とゲルマニウム粒（３）とを多数個設け、シリコンシート（１ａ）の粘着力により身体に貼って使用することを特徴とする肩凝り治療器。
【考案の詳細な説明】
【技術分野】
【０００１】
この考案は、肩凝り治療器に関するものである。
【背景技術】
【０００２】
従来、肩凝りに関して、種々治療機器は存在しており、家庭等に設置されている電動マッサージ機は、椅子式のものであり、特に背骨の両側の筋肉をほぐすものであり、大変、便利なものであるが、家庭に帰らなければ治療できないものであった。
【０００３】
また、ハンディータイプの治療機も存在するが、この器具であれば持ち運びは出来、必要とする場所において、すぐに使用できるが、その都度、ケースから取り出して使用することは煩雑であり、面倒であった。
【０００４】
そこで、磁石粒やゲルマニウム粒を身体の患部に粘着性のシートで貼るものが存在するが、皮膚が汗をかくと簡単に剥がれ易くなってしまい、高価な磁石粒やゲルマニウム粒が紛失してしまうという欠点があった。
【考案の開示】
【考案が解決しようとする課題】
【０００５】
そこで、この考案は、身体の肩凝りが生ずる首部・肩部・背中部に存在する「つぼ」の部分（即ち、患部）を一体にカバーできるシートを設け、このシートに、これらの「つぼ」に磁石粒やゲルマニウム粒を装着できる肩凝り治療器を開発・提供することにある。
【課題を解決するための手段】
【０００６】
この考案による肩凝り治療器は、首・肩・背中を一体のシート材を貼着して覆い、このシート材に、肩凝りの原因となる患部「つぼ」である、磁石粒やゲルマニウム粒を装着することにより、肩凝りを治療するものである。
【考案の効果】
【０００７】
この考案によると、肩凝りの原因となる患部「つぼ」である、首・肩・背中を一体のシート材を貼着して覆い、このシート材に磁石粒やゲルマニウム粒を装着することにより、四六時中肩凝り治療が行え、しかも、高価な磁石粒やゲルマニウム粒を紛失することがなく、身体に装着していても不自然でなく、首・肩・背中のすべての患部「つぼ」を同時に設けることにより、肩凝りがほぐれる等の極めて有効なる効果を奏するものである。
【考案を実施するための最良の形態】
【０００８】
以下、図面と共に、この考案による肩凝り治療器の好適な実施の形態について詳細に説明する。図１は、この考案の一実施例の肩凝り治療器を示し、身体の上半身を背部より見た装着状態を示す説明図であり、図２は、この考案の肩凝り治療器の一実施例を示す部分拡大図であり、図３は、（Ａ）（Ｂ）それぞれこの考案の一実施例である肩凝り治療器の断面図である。
【実施例】
【０００９】
そこで、本件考案の一実施例を図面に基づいて説明すると、身体（Ｘ）の首部、両肩部、そして背中にかけて装着する一枚のシート本体（１）を設け、該本体（１）は、シリコンシート（１ａ）、ウレタンシート（１ｂ）そして、外面に繊維シート（１ｃ）の積層体からなり、該本体（１）には、磁気粒（２）ゲルマニウム粒（３）、または、磁気粒（２）とゲルマニウム粒（３）とを多数個設け、シリコンシート（１ａ）の粘着力により身体に貼って使用することを特徴とする肩凝り治療器から構成されるものである。
【００１０】
尚、シート本体（１）は、外見は、略蝶々の羽根のような形状をしており、外面側に、繊維シート（１ｃ）、中間部にウレタンシート（１ｂ）、そして、身体（皮膚）に接触する面にはシリコンシート（１ａ）を設けて、複数層としたものであり、磁気粒（２）とゲルマニウム粒（３）は、図３（ａ）に示すように、シート材（１）の繊維シート（１ｃ）に貼着されてもよく、図３（ｂ）に示すように、シート材（１）のウレタンシート（１ｂ）に貼着されてもよく、かつ、これら磁気粒（２）とゲルマニウム粒（３）はシリコンシート（１ｃ）より突出するよう設けるものである。
【００１１】
また、シリコンシート（１ｃ）は、医療用シリコンを使用するものである。
【産業上の利用可能性】
【００１２】
この考案の、肩凝り治療器における製造技術および製造方法を確立し、かつ実施することにより、寄与する点で、産業上の利用可能性を有する。
【図面の簡単な説明】
【００１３】
【図１】この考案の一実施例を示す説明図である。
【図２】この考案の一実施例を示す正面図である。
【図３】この考案の一実施例を示し、（Ａ）は、磁気粒・ゲルマニウム粒を繊維シート（１ｃ）に貼着した断面図であり、（Ｂ）は、磁気粒・ゲルマニウム粒をウレタンシート（１ｂ）に貼着した断面図である。
【符号の説明】
【００１４】
Ｘ  身体
１  シート本体
１ａ  シリコンシート
１ｂ  ウレタンシート
１ｃ  繊維シート
２  磁気粒
３  ゲルマニウム粒
【図１】
0003129003.tif 000003
【図２】
0003129003.tif 000004
【図３】
0003129003.tif 000005
(57)【要約】【課題】カラム交換等のオーブン内作業の作業性を改善したガスクロマトグラフを提供する。【解決手段】前面に横開き扉１を有する箱形のオーブン２を持つガスクロマトグラフのオーブン２の前面下部の扉１の下端よりも低い位置に蛍光灯等の光源７１を持つ照明手段７を設け、これによりオーブン２内の天井面２５を照明するように構成する。このように構成することにより、カラム交換やガス漏れテストの作業に際して作業者の手元が明るく照明されるので、作業性が向上する。【選択図】          図１
0003129008.tif 000002
【実用新案登録請求の範囲】
【請求項１】
前面に横開き扉を有する箱形のオーブン内にカラムを収容すると共に、前記オーブンの天井面にて前記カラムを接続するように構成されたガスクロマトグラフにおいて、前記オーブンの前面下部の前記扉の下端よりも低い位置に前記オーブン内部を照明する照明手段を備えたことを特徴とするガスクロマトグラフ。
【考案の詳細な説明】
【技術分野】
【０００１】
本考案はガスクロマトグラフに関する。
【背景技術】
【０００２】
ガスクロマトグラフは、試料成分を分離する役割を担うカラムを収容しこれを所定温度にコントロールするオーブン（恒温槽）を備えている。一般的なガスクロマトグラフ用オーブンは、例えば特許文献１に従来技術として示されているように、前面に横開き扉を有する箱形の断熱容器で構成される。
【０００３】
図２に従来のガスクロマトグラフ用オーブンの構造の一例を示す。同図は前面の扉に平行な面で切った縦断面図を示し、前面の扉は紙面手前にあるものとする。
同図に示すように、オーブン２の筐体は、金属製の外壁２１と内壁２２との間に断熱材２３を挟んで構成され、その内部空間である槽室２４にカラム４が収められ、カラム４の後方（紙面奥）には図示しない加熱用ヒータと槽内空気を循環させるファンが設けられる。オーブン２の上部には、分析すべき試料をカラム４に導入する試料導入部５とカラム４で分離された試料成分を検出し電気信号として取り出す検出器６が設けられる。試料導入部５と検出器６の底部はそれぞれカラム接続部５１および６１としてオーブン２の内壁下面（天井面２５）に露出しており、これらにカラム４の両端がそれぞれ接続されている。
【０００４】
【特許文献１】特開２００１−１０８６６４号公報
【考案の開示】
【考案が解決しようとする課題】
【０００５】
ガスクロマトグラフィにおいては分析対象に応じて種類やサイズの異なるカラムを用いるので、頻繁にカラムを交換する必要がある。カラムの交換は、オーブンの扉を開け、カラム接続部のネジを緩めてカラムを取り外し、新たなカラムの両端をカラム接続部に挿入して再度ネジを締めることで行われる。これはオーブン内の天井面での作業であるから、作業者に不自然な姿勢を強いることになるばかりでなく、実験室は通常は上方から照明されているため、槽内天井面には光が届き難く、作業者の手元が暗くなるので作業性が悪かった。
【０００６】
また、カラム交換後にカラム接続部のガス漏れの有無をテストする場合も、同様の事情で作業性が悪かった。
本考案はこのような事情に鑑みてなされたものであり、カラム交換等のオーブン内作業の作業性を改善したガスクロマトグラフを提供することを目的とする。
【課題を解決するための手段】
【０００７】
本考案は、上記課題を解決するために、オーブンの前面下部の前面扉の下端よりも低い位置に照明手段を備え、これによりオーブン内の天井面を照明するように構成する。
【考案の効果】
【０００８】
本考案は上記のように構成されているので、カラム交換やガス漏れテストの作業に際して作業者の手元が明るく照明されるので、作業性が向上する。
【考案を実施するための最良の形態】
【０００９】
本考案が提供するガスクロマトグラフの第１の特徴はオーブン内を照明する照明手段を備えるように構成した点にあり、第２の特徴はその照明手段をオーブンの外部前方の前面扉の下端よりも低い位置に設けるように構成した点である。
従って、最良の形態の基本的な構成は、上記の特徴的構成を具備するガスクロマトグラフである。
【００１０】
図１に本考案の一実施例として本考案を適用したガスクロマトグラフを示す。
同図において、１は前面の扉、２はオーブン、３はこのガスクロマトグラフ全体を制御する制御部である。なお、図１では省略されているが、図２と同様に、カラム４、試料導入部５、検出器６がオーブン２の内外に装着されているものとする。
【００１１】
７は、オーブン２の前面下部に設けた照明手段であり、扉１の開閉の支障とならないように、扉１の下端よりも低い位置に設置される。照明手段７の光源７１から発する照明光Ａが後方斜め上方に向かうように反射器７２が設けられている。光源７１としては、図１では直管形蛍光灯を例示しているが、複数個のＬＥＤ（発光ダイオード）等を配列して構成してもよい。
【００１２】
上記構成により、扉１を開けた状態でオーブン２内の天井面２５が照明されるから、カラム交換等の作業に当たり作業者の手元が明るくなり、作業が容易になる。また、照明手段７はほぼ机上面にあるから作業の邪魔になることもなく、反射器７２により光源７１からの光が作業者の目を直射して作業者を眩惑することも防止されるので、良好な作業性が保たれる。
【００１３】
変形例として、反射器７２を角度可変に構成して照明範囲を調節できるようにしてもよい。また、ドアスイッチを利用することにより、扉１を開けた状態でのみ照明手段７が作動するようにも構成できる。さらにまた、照明手段７にスライド機構を付加して、照明手段７を使用しないときはオーブン２の下に収納できるように構成することも可能である。
これらの変形は、いずれも特に新規の工夫を要することなく既存の技術知識の範囲内で設計可能である。
【産業上の利用可能性】
【００１４】
本考案はガスクロマトグラフに利用できる。
【図面の簡単な説明】
【００１５】
【図１】本考案の一実施例を示す図である。
【図２】従来のオーブンの構成例を示す図である。
【符号の説明】
【００１６】
１  扉
２  オーブン
３  制御部
４  カラム
５  試料導入部
６  検出器
７  照明手段
２１  外壁
２２  内壁
２３  断熱材
２４  槽室
２５  天井面
５１  カラム接続部
６１  カラム接続部
Ａ  照明光
【図１】
0003129008.tif 000003
【図２】
0003129008.tif 000004
【誤訳訂正書】
【提出日】令和2年9月17日(2020.9.17)
【誤訳訂正１】
【訂正対象書類名】明細書
【訂正対象項目名】００４５
【訂正方法】変更
【訂正の内容】
【００４５】
２つのリンクロッド４６を備えた駆動機構４４は、センサ３２のハウジング４８中での垂直移動を、アーム４０の末端５０の垂直移動の半分である移動とする。アーム４０が反対側のコンベヤベルト２０Ａと接触するときに、アクチュエータは、このようにして、センサの末端を２つのコンベヤ１８Ａ，１８Ｂの中間まで動かし、すなわち、ブランケットのコアまで動かす。しかしながら、別形態において、センサ３２の移動／アーム４０の移動のこの従属化は、任意の他の適切なタイプである。
【誤訳訂正２】
【訂正対象書類名】特許請求の範囲
【訂正対象項目名】全文
【訂正方法】変更
【訂正の内容】
【特許請求の範囲】
【請求項１】
コンベヤベルト（２０Ａ，２０Ｂ）を有する少なくとも１つのコンベヤ（１８Ａ，１８Ｂ）により移動されている鉱物繊維及び／又は植物繊維のブランケットの内部の測定方法であって、
前記方法は、センサ（３２）、及び前記ブランケット（１２）中に前記センサを導入するためのアクチュエータ（３４）を含む測定システム（３０）を使用し、前記アクチュエータは、前記コンベヤベルトに取り付けられ、格納位置と前記ブランケットの内部の測定位置との間で前記センサを移動させることができるように構成されており、前記方法は、前記コンベヤベルトの移動の作用の下で前記アクチュエータによって前記ブランケット中に前記センサを導入することを含み、
前記アクチュエータが取り付けられている前記コンベヤベルトが、第一のコンベヤベルトであり、前記コンベヤが、第二のコンベヤベルトを含み、
前記アクチュエータは、前記測定位置の深さを調節する機構を含み、
前記測定位置の深さを調節する機構は、アームを有しており、
前記センサの動きが前記アームの動きに追従する様式で、前記アームが前記第二のコンベヤベルトと接触するときに、前記センサの末端が、前記第一のコンベヤベルトと前記第二のコンベヤベルトとの間の位置に移動する、
方法。
【請求項２】
前記センサを前記ブランケットから取り出すことをさらに含む、請求項１記載の方法。
【請求項３】
前記測定位置において、前記センサは、前記第一のコンベヤベルトから突出する、請求項１又は２記載の方法。
【請求項４】
前記格納位置において、前記センサは、前記第一のコンベヤベルトの内部に格納される、請求項１〜３のいずれか一項に記載の方法。
【請求項５】
前記アクチュエータは、自律的かつ受動的である、請求項１〜４のいずれか一項に記載の方法。
【請求項６】
前記アクチュエータは、作動質量体（５２，８０）を含み、その重力及び前記第一のコンベヤベルト（２０Ｂ）の移動の作用の下での前記作動質量体の移動が、前記センサ（３２）を前記格納位置から前記測定位置に移動させ、かつ／又は前記測定位置から前記格納位置に移動させる、請求項５に記載の方法。
【請求項７】
前記機構は、自律的かつ受動的である、請求項１〜６のいずれか一項に記載の方法。
【請求項８】
前記アクチュエータは、前記ベルトの末端での前記第一のコンベヤベルトの変形の作用の下で作動する作動機構を含む、請求項５〜７のいずれか一項に記載の方法。
【請求項９】
前記コンベヤベルトは、関節要素により形成されており、前記アクチュエータは、前記第一のコンベヤベルトの末端での関節要素の相対運動を使用して、前記センサを移動させるように構成されている、請求項８に記載の方法。
【請求項１０】
前記センサは、前記格納位置から前記測定位置及び／又は前記測定位置から前記格納位置に前記センサ（３２）を移動させる作動質量体を備え、かつ／又は前記センサ自体が作動質量体を形成している、請求項５〜９のいずれか一項に記載の方法。
【請求項１１】
前記センサは、ワイヤレスである、請求項１〜１０のいずれか一項に記載の方法。
【請求項１２】
前記センサは、自律的かつ受動的である、請求項１１に記載の方法。
【請求項１３】
前記センサは、温度センサである、請求項１〜１２のいずれか一項に記載の方法。
【請求項１４】
前記センサは、表面音響波（ＳＡＷ）タイプのものである、請求項１〜１３のいずれか一項に記載の方法。
【請求項１５】
前記センサとの通信のための少なくとも１つの固定型ユニットを含む、請求項１〜１４のいずれか一項に記載の方法。
【請求項１６】
前記システムは、前記センサがコンベヤの経路に沿った前記ユニットと通信することができるように構成されている、請求項１５に記載の方法。
【請求項１７】
架橋オーブンを通して通過させることによりブランケット中に存在するバインダを架橋させることを含み、前記センサは、オーブン中で又はオーブンに入る前に導入され、そしてオーブン中で又はオーブンから出た後に取り出される、請求項１〜１６のいずれか一項に記載の方法。
【請求項１８】
ミネラルウールを製造するための連続法における、請求項１〜１７のいずれか一項に記載の方法。
【請求項１９】
鉱物繊維及び／又は植物繊維のブランケット（１２）を製造するためのラインであって、前記ブランケットを移動させるためのコンベヤベルト（２０Ａ，２０Ｂ）を有する少なくとも１つのコンベヤ（１８Ａ，１８Ｂ）、並びに前記ブランケットの内部を測定するためのセンサ（３２）及び前記ブランケット中に前記センサを導入するためのアクチュエータ（３４）を含む測定システム（３０）を含み、前記アクチュエータは前記コンベヤベルトに取り付けられており、前記コンベヤベルトの移動の作用の下で、前記コンベヤ中の格納位置とブランケット内部の測定位置との間で前記センサを移動させることができるように構成されており、
前記アクチュエータが取り付けられている前記コンベヤベルトが、第一のコンベヤベルトであり、前記コンベヤが、第二のコンベヤベルトを含み、
前記アクチュエータは、前記測定位置の深さを調節する機構を含み、
前記測定位置の深さを調節する機構は、アームを有しており、
前記センサの動きが前記アームの動きに追従する様式で、前記アームが前記第二のコンベヤベルトと接触するときに、前記センサの末端が、前記第一のコンベヤベルトと前記第二のコンベヤベルトとの間の位置に移動する、
ライン。
【請求項２０】
鉱物繊維のブランケット中に存在するバインダを架橋させるためのオーブン（１４）を含み、前記コンベヤは、前記オーブンを通して前記ブランケットを輸送するためのコンベヤである、請求項１９に記載のライン。
【誤訳訂正書】
【提出日】令和2年6月9日(2020.6.9)
【誤訳訂正１】
【訂正対象書類名】特許請求の範囲
【訂正対象項目名】全文
【訂正方法】変更
【訂正の内容】
【特許請求の範囲】
【請求項１】
マスクブランクを形成するために、基板上に、交互のモリブデン層とシリコン層を含む多層スタックを堆積すること、
堆積中の各シリコン層と各モリブデン層の層厚の変化を検出するために、各モリブデン層と各シリコン層の堆積をモニタすること、
堆積中の各シリコン層と各モリブデン層の前記層厚の前記変化に基づいて、堆積パラメータを調整することであって、各シリコン層と各モリブデン層の層厚の誤差が０．１オングストローム以下である、堆積パラメータを調整すること、
各シリコン層と各モリブデン層の端部を検出すると、各モリブデン層及び各シリコン層の前記端部を検出してから堆積チャンバの電源を遮断するまでにサブミリ秒の待ち時間遅延で、ハードウェア接続を介して直接前記堆積チャンバの電源を遮断すること、
を含む、モニタリング・堆積制御システムの操作方法。
【請求項２】
各シリコン層と各モリブデン層の仕様を逸脱した層厚を検出すること、
前記仕様を逸脱した層厚に基づいて警告を発すること、及び
前記警告に基づいて、前記基板を破棄すること
を更に含む、請求項１に記載の方法。
【請求項３】
各モリブデン層と各シリコン層の堆積をモニタすることは、
前記モリブデン層と前記シリコン層の最上層に向けて光出力を生成すること、
前記光出力を前記モリブデン層と前記シリコン層での反射光として集光すること、及び
前記モリブデン層と前記シリコン層の特性を決定するため、前記反射光のスペクトルを測定すること
を含む、請求項１に記載の方法。
【請求項４】
各モリブデン層と各シリコン層の堆積をモニタすることは、
前記モリブデン層と前記シリコン層の最上層に向けて光出力を生成すること、
前記光出力を前記モリブデン層と前記シリコン層での反射光として集光すること、
前記反射光のスペクトルを測定すること、及び
前記反射光の前記スペクトルの平均波長に対して、前記反射光の前記スペクトルを正規化すること
を含む、請求項１に記載の方法。
【請求項５】
各モリブデン層と各シリコン層の堆積前に既知のスペクトル応答を有する基準試料に対して、各モリブデン層と各シリコン層の堆積をモニタするためのセンサアレイの較正を行うことを更に含む、請求項１に記載の方法。
【請求項６】
マスクブランクを形成するために、基板上に、交互のモリブデン層とシリコン層を含む多層スタックを堆積するための堆積チャンバと、
堆積中に各モリブデン層と各シリコン層の層厚の変化を検出するために各モリブデン層と各シリコン層の堆積をモニタするためのセンサアレイと、
堆積中に前記層厚の前記変化に基づいて堆積パラメータを調整するための処理ユニットであって、各シリコン層と各モリブデン層の層厚の誤差が０．１オングストローム以下である、処理ユニットと、
前記センサアレイからの出力に基づいて前記層厚の変化を検出し、各シリコン層と各モリブデン層の端部を検出すると、各モリブデン層及び各シリコン層の前記端部を検出してから前記堆積チャンバの電源を遮断するまでにサブミリ秒の待ち時間遅延で、ハードウェア接続を介して直接前記電源を遮断するハードウェア直接制御システムと、
を備える、モニタリング・堆積制御システム。
【請求項７】
前記センサアレイは、各モリブデン層と各シリコン層の仕様を逸脱した層厚を検出するためのものであり、
前記処理ユニットは、前記仕様を逸脱した層厚に基づいて警告を発するためのものであり、また、
前記警告に基づいて、前記基板が前記堆積チャンバから破棄される、請求項６に記載のシステム。
【請求項８】
前記センサアレイは、
前記モリブデン層と前記シリコン層の最上層に向けて光出力を生成するための光源と、
前記光出力を前記モリブデン層と前記シリコン層での反射光として集光し、前記モリブデン層と前記シリコン層の特性の決定を目的として前記反射光のスペクトルを測定するための分光光度計と
を含む、請求項６に記載のシステム。
【請求項９】
前記センサアレイは、
前記モリブデン層と前記シリコン層の最上層に向けて光出力を生成するための光源と、
前記光出力を前記モリブデン層と前記シリコン層での反射光として集光し、前記モリブデン層と前記シリコン層の特性の決定を目的として前記反射光のスペクトルを測定するための分光光度計とを含み、
前記処理ユニットは、前記反射光の前記スペクトルの平均波長に対して、前記反射光の前記スペクトルを正規化するためのものである、請求項６に記載のシステム。
【請求項１０】
前記基板を配置するための前記堆積チャンバ内のチャックと、
各モリブデン層と各シリコン層の堆積前に前記センサアレイを較正するための、前記チャック上の既知のスペクトル応答を有する基準試料と
を更に含む、請求項６に記載のシステム。
【誤訳訂正２】
【訂正対象書類名】明細書
【訂正対象項目名】００３４
【訂正方法】変更
【訂正の内容】
【００３４】
［００３９］  光スペクトルデータの品質制御を確保するには、様々な手続きがある。例えば、データの有効性と品質を確保するための手続きには、ａ）基板照明ファイバ２０８と参照ファイバ２０６が、光源２０４の真正面で粗面化した石英片の形態にあるモードスクランブラー（ディフューザー２２２など）を使用して実現される光源から、同一の光スペクトルを受け取ることを保証すること、ｂ）光のレベル／スペクトルの変動を除去するため、参照ファイバ２０６の光に対して、集光ファイバ２２０からの光のスペクトルを正規化すること、並びに、ｃ）光再開ステージでの不安定性の影響を軽減するため、反射光２１８の平均波長光に対して、光出力２１４のスペクトルを正規化することを含む。
【誤訳訂正３】
【訂正対象書類名】明細書
【訂正対象項目名】００３６
【訂正方法】変更
【訂正の内容】
【００３６】
［００４１］  加えて、モニタリング・堆積制御システム２００の感度を改善するための信号対ノイズ比を高めるため、参照ファイバ２０６が利用できる。信号対ノイズ比を高める方法の一例として、分光光度計２１０で受信した光スペクトルをその平均波長に対して正規化する方法がある。これは、光出力２１４の送達又は反射光２１８の集光中に、色消し偏移（ａｃｈｒｏｍａｔｉｃ  ｓｈｉｆｔｓ）によって引き起こされる不安定性を最小限に抑えるのに役立つ。
【誤訳訂正書】
【提出日】令和2年1月29日(2020.1.29)
【誤訳訂正１】
【訂正対象書類名】明細書
【訂正対象項目名】０００９
【訂正方法】変更
【訂正の内容】
【０００９】
つまり、本技術分野では、両製品の治療的効果を維持しつつ、フルチカゾンの全身性曝露を低減する、改良されたフルチカゾン／サルメテロールの組み合わせ製品に対する要求がある。